(57)【要約】【課題】画面上の数値設定項目に数値を入力する場合に、キーと共にキーを記憶するための付加情報が表示された第１のソフトテンキーと、キー付加情報が表示されない第２のソフトテンキーのうち、ユーザーの好みのソフトテンキーを使用することができ、ユーザーの利便性を改善した画像処理装置等を提供する。【解決手段】数値設定項目２６１を有する数値設定画面と共に、数値設定項目に数値を入力するためのソフトテンキーであって、キーと共にキーを記憶するための付加情報が表示された第１のソフトテンキー３００と、キー付加情報が表示されない第２のソフトテンキー４００、５００のいずれかを、表示手段２６０に表示させ、表示中の一方のソフトテンキーから他方へ表示を切り替えるための表示切替キー２６６、２６７、５０１を表示させる。【選択図】  図３
2016143115.tif 000002
【特許請求の範囲】
【請求項１】
表示手段と、
前記表示手段に、数値設定項目を有する数値入力画面を表示させると共に、前記数値設定項目に数値を入力するためのソフトテンキーであって、キーと共にキーを記憶するための付加情報が表示された第１のソフトテンキーと、前記キー付加情報が表示されない第２のソフトテンキーのいずれかを表示させ、さらに表示中の一方のソフトテンキーから他方のソフトテンキーへ表示を切り替えるための表示切替キーを表示させる表示制御手段と、
前記表示制御手段により前記表示手段に表示されたソフトテンキーにおけるキーが押下されたときは、該押下されたキーに応じた値を前記数値設定項目に入力する入力手段と、
を備え、
前記表示切替キーが押下されたときには、前記表示制御手段は、表示中の一方のソフトテンキーから他方のソフトテンキーへ表示を切り替え、
前記入力手段は、表示切り替え後のソフトテンキーにおけるキーが押下されたときは、該押下されたキーに応じた値を前記数値設定項目に入力することを特徴とする画像処理装置。
【請求項２】
前記第２のソフトテンキーは、ポップアップ画面により表示される移動操作可能なソフトテンキーである請求項１に記載の画像処理装置。
【請求項３】
前記表示制御手段は、前記第１のソフトテンキーから前記第２のソフトテンキーへ表示を切り替えるときは、前記第１のソフトテンキーの基準位置に、前記第２のソフトテンキーの基準位置が一致するように、前記第２のソフトテンキーを表示する請求項２に記載の画像処理装置。
【請求項４】
表示手段と、
前記表示手段に、数値設定項目を有する数値入力画面を表示させると共に、前記数値設定項目に数値を入力するためのソフトテンキーであって、キーと共にキーを記憶するための付加情報が表示された第１のソフトテンキーと、前記キー付加情報が表示されない第２のソフトテンキーのいずれかを表示させ、さらに表示中の一方のソフトテンキーから他方のソフトテンキーへ表示を切り替えるための表示切替キーを表示させる表示制御手段と、
前記表示制御手段により前記表示手段に表示されたソフトテンキーにおけるキーが押下されたときは、該押下されたキーに応じた値を前記数値設定項目に入力する入力手段と、
を備え、
前記表示切替キーが押下されたときには、前記表示制御手段は、表示中の一方のソフトテンキーに加えて他方のソフトテンキーも同一の画面に表示させ、
前記入力手段は、画面に表示されたいずれのソフトテンキーであっても、キーが押下されたときは該押下されたキーに応じた値を前記数値設定項目に入力することを特徴とする画像処理装置。
【請求項５】
前記第１のソフトテンキーよりも前記第２のソフトテンキーの方が、各キーの大きさが大きく設定されている請求項１〜４のいずれかに記載の画像処理装置。
【請求項６】
前記表示手段に、特定の数値設定項目を有する数値入力画面が表示されたときに、前記表示制御手段は、前記第１のソフトテンキーを最初に表示する請求項１〜５のいずれかに記載の画像処理装置。
【請求項７】
前記特定の数値設定項目はファックス番号の設定項目または暗証番号の設定項目の少なくともいずれかである請求項６に記載の画像処理装置。
【請求項８】
前記表示手段に、特定の数値設定項目を有する数値入力画面が表示されたときに、前記表示制御手段は、前記第２のソフトテンキーを最初に表示する請求項１〜５のいずれかに記載の画像処理装置。
【請求項９】
前記特定の数値設定項目は時間の設定項目、用紙サイズの設定項目、ＩＰアドレスの設定項目のうちの少なくともいずれかである請求項８に記載の画像処理装置。
【請求項１０】
前記数値入力画面における数値設定項目に入力する数値の桁数に応じて、前記表示制御手段は、前記第１のソフトテンキーまたは前記第２のソフトテンキーのいずれかを最初に表示する請求項１〜５のいずれかに記載の画像処理装置。
【請求項１１】
ユーザーの前記数値設定項目への入力設定回数に応じて、前記表示制御手段は、前記第１のソフトテンキーまたは前記第２のソフトテンキーのいずれかを最初に表示する請求項１〜５のいずれかに記載の画像処理装置。
【請求項１２】
自装置にログインしたユーザーに応じて、前記表示制御手段は、前記第１のソフトテンキーまたは前記第２のソフトテンキーのいずれかを最初に表示する請求項１〜５のいずれかに記載の画像処理装置。
【請求項１３】
前記数値入力画面毎に、数値入力のために使用されたソフトテンキーが第１のソフトテンキーか第２のソフトテンキーかを示す使用情報を、使用される毎に記憶する記憶手段を備え、
数値入力画面が他の画面から切り替えて前記表示手段に表示されたときは、前記表示制御手段は、前記数値入力画面について前記記憶手段に記憶されている最新の使用情報に基づいて、前記第１のソフトテンキーまたは前記第２のソフトテンキーのいずれかを最初に表示する請求項１〜５のいずれかに記載の画像処理装置。
【請求項１４】
特定のユーザーが自装置にログインしているときに、前記表示制御手段は前記表示切替キーを前記表示手段に表示させる請求項１〜１３のいずれかに記載の画像処理装置。
【請求項１５】
前記ソフトテンキーによる入力が可能な前記数値入力画面の数値設定項目の数が所定数よりも多い場合に、前記表示制御手段は前記表示切替キーを前記表示手段に表示させる請求項１〜１３のいずれかに記載の画像処理装置。
【請求項１６】
数値を入力するために選択された数値設定項目に応じて、前記表示制御手段は、第１のソフトテンキーまたは第２のソフトテンキーを前記表示手段に表示する請求項１〜１５のいずれかに記載の画像処理装置。
【請求項１７】
表示手段に、数値設定項目を有する数値入力画面を表示させると共に、前記数値設定項目に数値を入力するためのソフトテンキーであって、キーと共にキーを記憶するための付加情報が表示された第１のソフトテンキーと、前記キー付加情報が表示されない第２のソフトテンキーのいずれかを表示させ、さらに表示中の一方のソフトテンキーから他方のソフトテンキーへ表示を切り替えるための表示切替キーを表示させる表示制御ステップと、
前記表示制御ステップにより前記表示手段に表示されたソフトテンキーにおけるキーが押下されたときは、該押下されたキーに応じた値を前記数値設定項目に入力する入力ステップと、
を備え、
前記表示切替キーが押下されたときには、前記表示制御ステップでは、表示中の一方のソフトテンキーから他方のソフトテンキーへ表示を切り替え、
前記入力ステップでは、表示切り替え後のソフトテンキーにおけるキーが押下されたときは、該押下されたキーに応じた値を前記数値設定項目に入力することを特徴とする画像処理装置におけるソフトテンキーの表示制御方法。
【請求項１８】
表示手段に、数値設定項目を有する数値入力画面を表示させると共に、前記数値設定項目に数値を入力するためのソフトテンキーであって、キーと共にキーを記憶するための付加情報が表示された第１のソフトテンキーと、前記キー付加情報が表示されない第２のソフトテンキーのいずれかを表示させ、さらに表示中の一方のソフトテンキーから他方のソフトテンキーへ表示を切り替えるための表示切替キーを表示させる表示制御ステップと、
前記表示制御ステップにより前記表示手段に表示されたソフトテンキーにおけるキーが押下されたときは、該押下されたキーに応じた値を前記数値設定項目に入力する入力ステップと、
を備え、
前記表示切替キーが押下されたときには、前記表示制御ステップでは、表示中の一方のソフトテンキーに加えて他方のソフトテンキーも同一の画面に表示させ、
前記入力ステップでは、画面に表示されたいずれのソフトテンキーであっても、キーが押下されたときは該押下されたキーに応じた値を前記数値設定項目に入力することを特徴とする画像処理装置におけるソフトテンキーの表示制御方法。
【請求項１９】
表示手段に、数値設定項目を有する数値入力画面を表示させると共に、前記数値設定項目に数値を入力するためのソフトテンキーであって、キーと共にキーを記憶するための付加情報が表示された第１のソフトテンキーと、前記キー付加情報が表示されない第２のソフトテンキーのいずれかを表示させ、さらに表示中の一方のソフトテンキーから他方のソフトテンキーへ表示を切り替えるための表示切替キーを表示させる表示制御ステップと、
前記表示制御ステップにより前記表示手段に表示されたソフトテンキーにおけるキーが押下されたときは、該押下されたキーに応じた値を前記数値設定項目に入力する入力ステップと、
を画像処理装置のコンピュータに実行させ、
前記表示切替キーが押下されたときには、前記表示制御ステップでは、表示中の一方のソフトテンキーから他方のソフトテンキーへ表示を切り替え、
前記入力ステップでは、表示切り替え後のソフトテンキーにおけるキーが押下されたときは、該押下されたキーに応じた値を前記数値設定項目に入力する処理を前記コンピュータに実行させるためのソフトテンキーの表示制御プログラム。
【請求項２０】
表示手段に、数値設定項目を有する数値入力画面を表示させると共に、前記数値設定項目に数値を入力するためのソフトテンキーであって、キーと共にキーを記憶するための付加情報が表示された第１のソフトテンキーと、前記キー付加情報が表示されない第２のソフトテンキーのいずれかを表示させ、さらに表示中の一方のソフトテンキーから他方のソフトテンキーへ表示を切り替えるための表示切替キーを表示させる表示制御ステップと、
前記表示制御ステップにより前記表示手段に表示されたソフトテンキーにおけるキーが押下されたときは、該押下されたキーに応じた値を前記数値設定項目に入力する入力ステップと、
を画像処理装置のコンピュータに実行させ、
前記表示切替キーが押下されたときには、前記表示制御ステップでは、表示中の一方のソフトテンキーに加えて他方のソフトテンキーも同一の画面に表示させ、
前記入力ステップでは、画面に表示されたいずれのソフトテンキーであっても、キーが押下されたときは該押下されたキーに応じた値を前記数値設定項目に入力する処理を前記コンピュータに実行させるためのソフトテンキーの表示制御プログラム。
【発明の詳細な説明】
【技術分野】
【０００１】
この発明は、例えば、コピー機能、プリンタ機能、ファクシミリ機能、スキャン機能等の複数の機能を有する多機能デジタル画像形成装置であるＭＦＰ（Multi Function Peripheral）等の画像処理装置、同装置におけるソフトテンキーの表示制御方法及び表示制御プログラムに関する。
【背景技術】
【０００２】
上記のような画像処理装置として、従来より、ユーザーが画像処理装置の設定等を行うために表示部に数値設定項目を有する数値入力画面を表示させ、数値設定項目の入力欄に数値を入力するときに、ソフトテンキーを表示させて、このソフトテンキーをユーザーが使用して数値設定項目の数値入力を行うように構成されたものが知られている。
【０００３】
また、ソフトテンキーとして、キーと共にキーを記憶するための付加情報が表示されたソフトテンキーも知られている（例えば特許文献１）。具体的には、例えば図３に示すように、数値設定項目の入力画面Ｄ１の例えば左部領域に表示されたソフトテンキー３００では、数字キーの上方に付加情報３０としてのアルファベットが表示されている。例えば、数字「２」のキーの上方には「ＡＢＣ」が、数字「３」のキーの上方には「ＤＥＦ」が、数字「４」のキーの上方には「ＧＨＩ」が表示されている。また、数字５〜９のキーについても同様にアルファベットが表示されている。
【０００４】
ユーザーの中には、例えばファクシミリ番号を記憶する代わりに、アルファベットの語呂合わせを記憶しておき、語呂合わせに対応するキーを入力することで、ファクシミリ番号等を数値設定項目に入力する人が存在する。つまりこのようなユーザーは、キーを記憶するための付加情報としてアルファベットを用いている。
【０００５】
そこで、このようなユーザーを考慮して、キーを記憶するための付加情報が表示されたソフトテンキーを表示するようにした画像処理装置が提供されている。
【０００６】
しかしながら、このようなキーを記憶するための付加情報が表示されたソフトテンキーを表示する画像処理装置では、次のような課題があった。
【先行技術文献】
【特許文献】
【０００７】
【特許文献１】特開２００５−０４４２６３号公報
【発明の概要】
【発明が解決しようとする課題】
【０００８】
すなわち、ソフトテンキーを大きく表示すると数値入力画面が小さくなってしまう。画像処理装置の表示画面サイズは、パーソナルコンピュータ等の表示画面サイズに較べて小さいため、ソフトテンキーの表示領域は限られた大きさに設定されている。
【０００９】
一方、キーを記憶するための付加情報が表示されたソフトテンキーでは、キー以外にアルファベット等の付加情報を表示しているため、限られた表示領域にキーと付加情報を配置しなければならず、キーの大きさが必然的に小さくなってしまう。
【００１０】
このため、指の太いユーザーや、指先ではなく指の腹でキーを操作するユーザーにとっては、キーの操作中に意図しないキーを誤って押下してしまうことがあり、誤操作の原因になるという問題があった。また、全てのユーザーが語呂合わせで数値を入力するわけでもなく、キーを記憶するための付加情報が表示されていない通常のソフトテンキーを使用したいユーザーもいる。
【００１１】
しかし、付加情報が表示されたソフトテンキーが表示されていると、ユーザーはこのソフトテンキーを使用せざるを得ず、ユーザーにとって利便性が良くなかった。
【００１２】
この発明は、このような技術的背景に鑑みてなされたものであって、画面上の数値設定項目に数値を入力する場合に、キーと共にキーを記憶するための付加情報が表示された第１のソフトテンキーと、キー付加情報が表示されない第２のソフトテンキーのうち、ユーザーの好みのソフトテンキーを使用することができ、ユーザーの利便性を改善した画像処理装置を提供し、さらには同装置におけるソフトテンキーの表示制御方法及び表示制御プログラムを提供することを目的とする。
【課題を解決するための手段】
【００１３】
上記課題は、以下の手段によって解決される。
（１）表示手段と、前記表示手段に、数値設定項目を有する数値入力画面を表示させると共に、前記数値設定項目に数値を入力するためのソフトテンキーであって、キーと共にキーを記憶するための付加情報が表示された第１のソフトテンキーと、前記キー付加情報が表示されない第２のソフトテンキーのいずれかを表示させ、さらに表示中の一方のソフトテンキーから他方のソフトテンキーへ表示を切り替えるための表示切替キーを表示させる表示制御手段と、前記表示制御手段により前記表示手段に表示されたソフトテンキーにおけるキーが押下されたときは、該押下されたキーに応じた値を前記数値設定項目に入力する入力手段と、を備え、前記表示切替キーが押下されたときには、前記表示制御手段は、表示中の一方のソフトテンキーから他方のソフトテンキーへ表示を切り替え、前記入力手段は、表示切り替え後のソフトテンキーにおけるキーが押下されたときは、該押下されたキーに応じた値を前記数値設定項目に入力することを特徴とする画像処理装置。
（２）前記第２のソフトテンキーは、ポップアップ画面により表示される移動操作可能なソフトテンキーである前項１に記載の画像処理装置。
（３）前記表示制御手段は、前記第１のソフトテンキーから前記第２のソフトテンキーへ表示を切り替えるときは、前記第１のソフトテンキーの基準位置に、前記第２のソフトテンキーの基準位置が一致するように、前記第２のソフトテンキーを表示する前項２に記載の画像処理装置。
（４）表示手段と、前記表示手段に、数値設定項目を有する数値入力画面を表示させると共に、前記数値設定項目に数値を入力するためのソフトテンキーであって、キーと共にキーを記憶するための付加情報が表示された第１のソフトテンキーと、前記キー付加情報が表示されない第２のソフトテンキーのいずれかを表示させ、さらに表示中の一方のソフトテンキーから他方のソフトテンキーへ表示を切り替えるための表示切替キーを表示させる表示制御手段と、前記表示制御手段により前記表示手段に表示されたソフトテンキーにおけるキーが押下されたときは、該押下されたキーに応じた値を前記数値設定項目に入力する入力手段と、を備え、前記表示切替キーが押下されたときには、前記表示制御手段は、表示中の一方のソフトテンキーに加えて他方のソフトテンキーも同一の画面に表示させ、前記入力手段は、画面に表示されたいずれのソフトテンキーであっても、キーが押下されたときは該押下されたキーに応じた値を前記数値設定項目に入力することを特徴とする画像処理装置。
（５）前記第１のソフトテンキーよりも前記第２のソフトテンキーの方が、各キーの大きさが大きく設定されている前項１〜４のいずれかに記載の画像処理装置。
（６）前記表示手段に、特定の数値設定項目を有する数値入力画面が表示されたときに、前記表示制御手段は、前記第１のソフトテンキーを最初に表示する前項１〜５のいずれかに記載の画像処理装置。
（７）前記特定の数値設定項目はファックス番号の設定項目または暗証番号の設定項目の少なくともいずれかである前項６に記載の画像処理装置。
（８）前記表示手段に、特定の数値設定項目を有する数値入力画面が表示されたときに、前記表示制御手段は、前記第２のソフトテンキーを最初に表示する前項１〜５のいずれかに記載の画像処理装置。
（９）前記特定の数値設定項目は時間の設定項目、用紙サイズの設定項目、ＩＰアドレスの設定項目のうちの少なくともいずれかである前項８に記載の画像処理装置。
（１０）前記数値入力画面における数値設定項目に入力する数値の桁数に応じて、前記表示制御手段は、前記第１のソフトテンキーまたは前記第２のソフトテンキーのいずれかを最初に表示する前項１〜５のいずれかに記載の画像処理装置。
（１１）ユーザーの前記数値設定項目への入力設定回数に応じて、前記表示制御手段は、前記第１のソフトテンキーまたは前記第２のソフトテンキーのいずれかを最初に表示する前項１〜５のいずれかに記載の画像処理装置。
（１２）自装置にログインしたユーザーに応じて、前記表示制御手段は、前記第１のソフトテンキーまたは前記第２のソフトテンキーのいずれかを最初に表示する前項１〜５のいずれかに記載の画像処理装置。
（１３）前記数値入力画面毎に、数値入力のために使用されたソフトテンキーが第１のソフトテンキーか第２のソフトテンキーかを示す使用情報を、使用される毎に記憶する記憶手段を備え、数値入力画面が他の画面から切り替えて前記表示手段に表示されたときは、前記表示制御手段は、前記数値入力画面について前記記憶手段に記憶されている最新の使用情報に基づいて、前記第１のソフトテンキーまたは前記第２のソフトテンキーのいずれかを最初に表示する前項１〜５のいずれかに記載の画像処理装置。
（１４）特定のユーザーが自装置にログインしているときに、前記表示制御手段は前記表示切替キーを前記表示手段に表示させる前項１〜１３のいずれかに記載の画像処理装置。
（１５）前記ソフトテンキーによる入力が可能な前記数値入力画面の数値設定項目の数が所定数よりも多い場合に、前記表示制御手段は前記表示切替キーを前記表示手段に表示させる前項１〜１３のいずれかに記載の画像処理装置。
（１６）数値を入力するために選択された数値設定項目に応じて、前記表示制御手段は、第１のソフトテンキーまたは第２のソフトテンキーを前記表示手段に表示する前項１〜１５のいずれかに記載の画像処理装置。
（１７）表示手段に、数値設定項目を有する数値入力画面を表示させると共に、前記数値設定項目に数値を入力するためのソフトテンキーであって、キーと共にキーを記憶するための付加情報が表示された第１のソフトテンキーと、前記キー付加情報が表示されない第２のソフトテンキーのいずれかを表示させ、さらに表示中の一方のソフトテンキーから他方のソフトテンキーへ表示を切り替えるための表示切替キーを表示させる表示制御ステップと、前記表示制御ステップにより前記表示手段に表示されたソフトテンキーにおけるキーが押下されたときは、該押下されたキーに応じた値を前記数値設定項目に入力する入力ステップと、を備え、前記表示切替キーが押下されたときには、前記表示制御ステップでは、表示中の一方のソフトテンキーから他方のソフトテンキーへ表示を切り替え、前記入力ステップでは、表示切り替え後のソフトテンキーにおけるキーが押下されたときは、該押下されたキーに応じた値を前記数値設定項目に入力することを特徴とする画像処理装置におけるソフトテンキーの表示制御方法。
（１８）表示手段に、数値設定項目を有する数値入力画面を表示させると共に、前記数値設定項目に数値を入力するためのソフトテンキーであって、キーと共にキーを記憶するための付加情報が表示された第１のソフトテンキーと、前記キー付加情報が表示されない第２のソフトテンキーのいずれかを表示させ、さらに表示中の一方のソフトテンキーから他方のソフトテンキーへ表示を切り替えるための表示切替キーを表示させる表示制御ステップと、前記表示制御ステップにより前記表示手段に表示されたソフトテンキーにおけるキーが押下されたときは、該押下されたキーに応じた値を前記数値設定項目に入力する入力ステップと、を備え、前記表示切替キーが押下されたときには、前記表示制御ステップでは、表示中の一方のソフトテンキーに加えて他方のソフトテンキーも同一の画面に表示させ、前記入力ステップでは、画面に表示されたいずれのソフトテンキーであっても、キーが押下されたときは該押下されたキーに応じた値を前記数値設定項目に入力することを特徴とする画像処理装置におけるソフトテンキーの表示制御方法。
（１９）表示手段に、数値設定項目を有する数値入力画面を表示させると共に、前記数値設定項目に数値を入力するためのソフトテンキーであって、キーと共にキーを記憶するための付加情報が表示された第１のソフトテンキーと、前記キー付加情報が表示されない第２のソフトテンキーのいずれかを表示させ、さらに表示中の一方のソフトテンキーから他方のソフトテンキーへ表示を切り替えるための表示切替キーを表示させる表示制御ステップと、前記表示制御ステップにより前記表示手段に表示されたソフトテンキーにおけるキーが押下されたときは、該押下されたキーに応じた値を前記数値設定項目に入力する入力ステップと、を画像処理装置のコンピュータに実行させ、前記表示切替キーが押下されたときには、前記表示制御ステップでは、表示中の一方のソフトテンキーから他方のソフトテンキーへ表示を切り替え、前記入力ステップでは、表示切り替え後のソフトテンキーにおけるキーが押下されたときは、該押下されたキーに応じた値を前記数値設定項目に入力する処理を前記コンピュータに実行させるためのソフトテンキーの表示制御プログラム。
（２０）表示手段に、数値設定項目を有する数値入力画面を表示させると共に、前記数値設定項目に数値を入力するためのソフトテンキーであって、キーと共にキーを記憶するための付加情報が表示された第１のソフトテンキーと、前記キー付加情報が表示されない第２のソフトテンキーのいずれかを表示させ、さらに表示中の一方のソフトテンキーから他方のソフトテンキーへ表示を切り替えるための表示切替キーを表示させる表示制御ステップと、前記表示制御ステップにより前記表示手段に表示されたソフトテンキーにおけるキーが押下されたときは、該押下されたキーに応じた値を前記数値設定項目に入力する入力ステップと、を画像処理装置のコンピュータに実行させ、前記表示切替キーが押下されたときには、前記表示制御ステップでは、表示中の一方のソフトテンキーに加えて他方のソフトテンキーも同一の画面に表示させ、前記入力ステップでは、画面に表示されたいずれのソフトテンキーであっても、キーが押下されたときは該押下されたキーに応じた値を前記数値設定項目に入力する処理を前記コンピュータに実行させるためのソフトテンキーの表示制御プログラム。
【発明の効果】
【００１４】
前項（１）に記載の発明によれば、表示手段に、数値設定項目を有する数値入力画面とともに、キーと共にキーを記憶するための付加情報が表示された第１のソフトテンキーと、付加情報が表示されない第２のソフトテンキーのいずれかが表示され、さらに表示された一方のソフトテンキーから他方のソフトテンキーへ表示を切り替えるための表示切替キーが表示されるから、ユーザーは表示切替キーを押下することで、表示中の一方のソフトテンキーから他方のソフトテンキーへ表示を切り替えることができる。そして、切り替え後のソフトテンキーにおけるキーが押下されたときは、押下されたキーに応じた値が数値設定項目に入力される。従って、ユーザーは好みに応じて第１のソフトテンキーまたは第２のソフトテンキーを使用することができるから、操作がしやすくなりユーザーの利便性を改善することができる。
【００１５】
前項（２）に記載の発明によれば、第２のソフトテンキーはポップアップ画面により表示され、ユーザーは表示された第２のソフトテンキーを任意の位置へ移動させることができる。
【００１６】
前項（３）に記載の発明によれば、第１のソフトテンキーから第２のソフトテンキーへ表示を切り替えるときは、第１のソフトテンキーの基準位置に、第２のソフトテンキーの基準位置が一致するように、第２のソフトテンキーが表示されるから、第２のソフトテンキーにより数値入力画面の一部が隠れるのを極力防止でき、第１のソフトテンキーとほぼ同じ位置に第２のソフトテンキーを表示させることができる。従って、ユーザーは第２のソフトテンキーを違和感なく使用することができる。
【００１７】
前項（４）に記載の発明によれば、表示手段に、数値設定項目を有する数値入力画面とともに、第１のソフトテンキーと第２のソフトテンキーのいずれかが表示され、さらに表示中の一方のソフトテンキーに加えて他方のソフトテンキーも同一の画面に表示させるための表示切替キーが表示されるから、ユーザーは表示切替キーを押下することで、両方のソフトテンキーを同一の画面に表示させることができる。そして、表示されたいずれのソフトテンキーであっても、キーが押下されたときは押下されたキーに応じた値が数値設定項目に入力される。従って、ユーザーは好みに応じて第１のソフトテンキーまたは第２のソフトテンキーを使用することができるから、操作がしやすくなり利便性を改善することができる。
【００１８】
前項（５）に記載の発明によれば、キーの大きさが小さくても語呂合わせにより数値入力を行いたいユーザーは第１のソフトテンキーを使用でき、大きなキーを使用したいユーザーは、第２のソフトテンキーを使用することができる。
【００１９】
前項（６）に記載の発明によれば、特定の数値設定項目を有する数値入力画面が表示されたときに、第１のソフトテンキーが最初に表示される。
【００２０】
前項（７）に記載の発明によれば、ファックス番号の設定項目または暗証番号の設定項目の少なくともいずれかを有する数値入力画面が表示されたときに、第１のソフトテンキーが最初に表示される。
【００２１】
前項（８）に記載の発明によれば、特定の数値設定項目を有する数値入力画面が表示されたときに、第２のソフトテンキーが最初に表示される。
【００２２】
前項（９）に記載の発明によれば、時間の設定項目、用紙サイズの設定項目、ＩＰアドレスの設定項目のうちの少なくともいずれかを有する数値入力画面が表示されたときに、第１のソフトテンキーが最初に表示される。
【００２３】
前項（１０）に記載の発明によれば、数値入力画面における数値設定項目に入力する数値の桁数に応じて、第１のソフトテンキーまたは第２のソフトテンキーのいずれかが最初に表示される。
【００２４】
前項（１１）に記載の発明によれば、ユーザーの数値設定項目への入力設定回数に応じて、第１のソフトテンキーまたは第２のソフトテンキーのいずれかが最初に表示される。
【００２５】
前項（１２）に記載の発明によれば、自装置にログインしたユーザーに応じて、第１のソフトテンキーまたは第２のソフトテンキーのいずれかが最初に表示される。
【００２６】
前項（１３）に記載の発明によれば、数値入力のために使用されたソフトテンキーが第１のソフトテンキーか第２のソフトテンキーかを示す使用情報が、使用される毎に記憶される。そして、数値入力画面が他の画面から切り替えて表示手段に表示されたときは、その数値入力画面について記録されている最新の使用情報に基づいて、第１のソフトテンキーまたは第２のソフトテンキーのいずれかが最初に表示される。
【００２７】
前項（１４）に記載の発明によれば、特定のユーザーが自装置にログインしているときに、ユーザーは第１のソフトテンキーと第２のソフトテンキーを切り替えることができる。
【００２８】
前項（１５）に記載の発明によれば、ソフトテンキーによる入力が可能な前記数値入力画面の数値設定項目の数が所定数よりも多い場合に、ユーザーは第１のソフトテンキーと第２のソフトテンキーを切り替えることができる。
【００２９】
前項（１６）に記載の発明によれば、数値を入力するために選択された数値設定項目に応じて、第１のソフトテンキーまたは第２のソフトテンキーが表示手段に表示される。
【００３０】
前項（１７）及び（１８）に記載の発明によれば、数値入力画面における数値設定項目に数値を入力する際に、ユーザーは好みに応じて第１のソフトテンキーまたは第２のソフトテンキーを使用することができるから、操作がしやすくなり利便性を改善することができる。
【００３１】
前項（１９）及び（２０）に記載の発明によれば、数値入力画面における数値設定項目に数値を入力する際に、ユーザーが好みに応じて第１のソフトテンキーまたは第２のソフトテンキーを使用することができる処理を、画像処理装置のコンピュータに実行させることができる。
【図面の簡単な説明】
【００３２】
【図１】この発明の一実施形態に係る画像処理装置の外観を示す斜視図である。
【図２】操作パネル部の電気的な構成を示すブロック図である。
【図３】操作パネル部の表示部に表示された数値入力画面を示す図である。
【図４】第１のソフトテンキーに代えて第２のソフトテンキーに切り替え表示した画面を示す図である。
【図５】ソフトテンキーの表示切替処理を示すフローチャートである。
【図６】この発明の他の実施形態を示すもので、第１のソフトテンキーに代えてポップアップ式の第２のソフトテンキーを表示した場合の画面を示す図である。
【図７】図６で説明した実施形態におけるソフトテンキーの表示切替処理を示すフローチャートである。
【図８】この発明のさらに他の実施形態を示すもので、ソフトテンキーの表示切替キーを押下したときの画面を示す図である。
【図９】図８で説明した実施形態におけるソフトテンキーの表示切替処理を示すフローチャートである。
【図１０】この発明のさらに他の実施形態を示すもので、ソフトテンキーの表示切替処理を示すフローチャートである。
【図１１】図１０における特定の数値設定項目を示す表である。
【図１２】この発明のさらに他の実施形態を示すもので、ソフトテンキーの表示切替処理を示すフローチャートである。
【図１３】図１２における特定の数値設定項目を示す表である。
【図１４】この発明のさらに他の実施形態を示すもので、ソフトテンキーの表示切替処理を示すフローチャートである。
【図１５】図１４における数値設定項目の入力桁数を示す表である。
【図１６】この発明のさらに他の実施形態を示すもので、ソフトテンキーの表示切替処理を示すフローチャートである。
【図１７】図１６における数値設定項目の使用回数を示す表である。
【図１８】この発明のさらに他の実施形態を示すもので、ソフトテンキーの表示切替処理を示すフローチャートである。
【図１９】図１８における特定のユーザーの設定テーブルを示す表である。
【図２０】この発明のさらに他の実施形態を示すもので、ソフトテンキーの表示切替処理を示すフローチャートである。
【図２１】数値入力画面毎に直近に使用されたソフトテンキーの種別を記憶した表を示す図である。
【図２２】この発明のさらに他の実施形態を示すもので、表示切替キーの表示処理を示すフローチャートである。
【図２３】この発明のさらに他の実施形態を示すもので、表示切替キーの表示処理を示すフローチャートである。
【図２４】数値設定項目数の設定テーブルを示す表である。
【図２５】この発明のさらに他の実施形態を示すもので、ソフトテンキーの表示切替処理を示すフローチャートである。
【図２６】数値設定項目毎に設定された表示を優先されるソフトテンキーの種別を示す表である。
【発明を実施するための形態】
【００３３】
以下、この発明の実施形態を図面に基づいて説明する。
【００３４】
図１はこの発明の一実施形態に係る画像処理装置１の外観を示す斜視図である。この実施形態では、画像処理装置１として、前述した多機能デジタル画像形成装置であるＭＦＰが用いられている。以下の説明では、画像処理装置をＭＦＰともいう。
【００３５】
ＭＦＰ１は、正面上部に操作パネル部２を備えている。この操作パネル部２からユーザーがコピー開始の指示やコピー枚数の設定、プリントモードの指定等のキー入力を行う。この操作パネル部２には、液晶表示板（ＬＣＤ）等で構成された表示部２６０が設けられ、ユーザーにより設定されたコピーモードや各種のメッセージ等を表示するようになっている。
【００３６】
図２はＭＦＰ１の操作パネル部２の電気的な構成を示すブロック図である。
【００３７】
図２に示すように、操作パネル部２は、パネルＣＰＵ２１０、ＲＯＭ２２０、ＲＡＭ２３０、ＬＣＤ制御部２４０、ＶＲＡＭ２５０、表示部２６０、ハードキー操作部２７０及び入出力制御部２８０を備えている。
【００３８】
パネルＣＰＵ２１０は、ＭＦＰ本体システム制御部１００と通信を行いながら、操作パネル部２の全体制御を行うものである。なお、ＭＦＰ本体システム制御部１００はＭＦＰ１の全体を統括制御するものであり、メインＣＰＵ（図示せず）を備え、操作パネル部２を介して行われたユーザー操作に基づいて、コピー機能、プリント機能、ファクシミリ機能、スキャン機能等の各種機能を実行する。また、ＭＦＰ１には、各種の設定値を記憶したり、数値設定項目の使用回数や、数値入力画面毎の使用したソフトテンキーの種別等を記憶する記憶部（図示せず）が備えられている。
【００３９】
ＲＯＭ２２０は、パネルＣＰＵ２１０が実行する動作プログラムや、表示部１６０に表示される画面データを含む表示画像データ等を記憶している。また、ＲＡＭ２３０は、パネルＣＰＵ２１０がＲＯＭ２２０に格納されている動作プログラムに従って動作する際の作業領域を提供する。
【００４０】
ＬＣＤ制御部２４０は、ＶＲＡＭ２５０のリードライト制御を行い、表示部２６０の表示制御を行っている。具体的には、ＲＯＭ２２０に記憶された画像データを、パネルＣＰＵ２１０の指示に基づいてＶＲＡＭ２５０に記憶させた後、それを読み出して表示部２６０に出力し表示させる。また、管理者ユーザー等がＭＦＰ１に関わる設定やその他の設定を行う場合に、数値設定項目を有する数値入力画面を表示部２６０に表示したり、数値設定項目に数値を入力するためのソフトテンキーを表示させたりするが、これらの制御については後述する。
【００４１】
表示部２６０は、ＬＣＤタッチパネルからなる表示装置であり、各種の画面やメッセージ等を表示する。特にこの実施形態では上述した数値入力画面を表示したり、ユーザーがログイン時にユーザー名やパスワード等の文字を入力するための文字入力エリアや、検索のための文字入力エリア等を表示する。
【００４２】
ハードキー操作部２７０は、スタートキー、テンキー、パネルリセットキー等で構成される複数のハードキーや、ＭＦＰ１の状態を示すＬＥＤや、ハードキーまたは表示部２６０で入出力が行われた旨をユーザーに通知するためのブザー等から構成されている。
【００４３】
入出力制御部２８０は、表示部２６０をユーザーが直接タッチしたときに、タッチされたことを検出してそのタッチ位置を判断し、画面に表示された機能項目のうちどの機能項目が選択されたか等をパネルＣＰＵ２１０に通知し、機能設定等の入出力制御を行う。また、入出力制御部２８０はハードキー操作部２７０を制御し、必要に応じてパネルＣＰＵ２１０を介してＭＦＰ本体システム制御部１００との通信を行う。
【００４４】
なお、ＭＦＰ１においては、ハードキー操作部２７０内のスタートキーが押下されると、その旨が入出力制御部２８０、パネルＣＰＵ２１０を介してＭＦＰ本体システム制御部１００に送信され、一連の複写動作が開始される。
【００４５】
図３は、操作パネル部２の表示部２６０に表示された数値入力画面Ｄ１を示す図である。この画面Ｄ１は、登録名設定項目等と共に数値設定項目１６１としてのファクシミリ番号設定項目を有している。なお、数値設定項目１６１は数値を入力設定する欄であり、ファクシミリ番号の設定項目のほか、暗証番号の設定項目、ＩＰアドレスの設定項目、時間の設定項目、用紙サイズの設定項目等、その種類は問わない。
【００４６】
ユーザーがファクシミリ番号を入力するためにファクシミリ番号設定項目である数値設定項目２６１を選択すると、画面の左部領域にソフトテンキー３００が表示される。なお、ソフトテンキーはソフトウェアによって表示部２６０の画面上に表示されるテンキーである。このソフトテンキー３００は、数字キーの上方に付加情報３０１としてのアルファベットが表示された第１のソフトテンキーである。例えば、数字「２」のキーの上方には「ＡＢＣ」が、数字「３」のキーの上方には「ＤＥＦ」が、数字「４」のキーの上方には「ＧＨＩ」が表示されている。また、数字５〜９のキーについても同様にアルファベットが表示されている。
【００４７】
付加情報３０１は、ユーザーによっては数値入力の語呂合わせに用いられるものである。例えばファクシミリ番号を記憶する代わりに、アルファベットの語呂合わせを記憶しておき、語呂合わせに対応するキーを入力することで、ファクシミリ番号等を数値設定項目に入力する。なお、以下の説明において、第１のソフトテンキーを語呂合わせ式ソフトテンキーともいう。
【００４８】
語呂合わせ式ソフトテンキー３００は、この実施形態では、画面上の左部の固定した位置に表示される。ユーザーはこの語呂合わせ式ソフトテンキー３００の各キーを用いて、数値設定項目２６１にファクシミリ番号等を入力することができる。
【００４９】
また、画面左部領域の語呂合わせ式ソフトテンキー３００の上方には、「しおり表示」キー２６４と「テンキー」キー２６５が表示されている。「しおり表示」キー２６４は固定式ソフトテンキー３００に代えてしおりを表示させるための操作キーであり、「テンキー」キー２６５はしおりの表示から元の語呂合わせ式ソフトテンキー３００に切り替えるための操作キーである。
【００５０】
さらに、画面左部領域の語呂合わせ式ソフトテンキー３００の下方には、「数字のみ」キー２６６が表示されている。この「数字のみ」キー２６６は、語呂合わせ式ソフトテンキー３００から切り替えて、図４に示すように第２のソフトテンキー（以下の説明では非語呂合わせ式ソフトテンキーともいう）４００を表示するための表示切替キーである。非語呂合わせ式ソフトテンキー４００は、語呂合わせ式ソフトテンキー３００と同じ画面の左部領域に固定して表示される。
【００５１】
非語呂合わせ式ソフトテンキー４００は、数字キーに関連する付加情報は表示されていない。このため、付加情報の表示スペースが必要ないため、非語呂合わせ式ソフトテンキー４００の各キーの大きさは語呂合わせ式ソフトテンキー３００の各キーの大きさよりも大きく設定されており、語呂合わせ式ソフトテンキー３００に較べて指でのタッチ操作がしやすくなっている。このため、非語呂合わせ式ソフトテンキー４００を好むユーザーは、図３の画面において「数字のみ」キー２６６を押すことで、語呂合わせ式ソフトテンキー３００に代えて非語呂合わせ式ソフトテンキー４００を表示させることができる。
【００５２】
また、非語呂合わせ式ソフトテンキー４００には、「元の大きさ」キー２６７が設けられている。「元の大きさ」キー２６７は、非語呂合わせ式ソフトテンキー４００の表示から図３に示した語呂合わせ式ソフトテンキー３００の表示に切り替えて元に戻すための表示切替キーであり、非語呂合わせ式ソフトテンキー４００を表示後、再度語呂合わせ式ソフトテンキー３００に戻したいユーザーはこの「元の大きさ」キー２６７を押下すれば良い。
【００５３】
ユーザーが画面に表示されている語呂合わせ式ソフトテンキー３００または非語呂合わせ式ソフトテンキー４００の各キーを押下すると、押下されたキーに応じた値が数値設定項目２６１に入力される。
【００５４】
このように、この実施形態では、表示部２６０に表示された数値入力画面Ｄ１とともに、数値設定項目２６１に数値を入力するための語呂合わせ式ソフトテンキー３００が表示され、さらに表示された語呂合わせ式ソフトテンキー３００から非語呂合わせ式ソフトテンキー４００へ表示を切り替えるための表示切替キーである「数字のみ」キー２６６が表示されるから、ユーザーは「数字のみ」キー２６６を押下することで、表示中の語呂合わせ式ソフトテンキー３００から非語呂合わせ式ソフトテンキー４００へ表示を切り替えることができる。
【００５５】
また、別の表示切替キーである「元の大きさ」キー２６７を押下することで、非語呂合わせ式ソフトテンキー４００から語呂合わせ式ソフトテンキー３００に再度表示を切り替えることができる。そして、切り替え後の非語呂合わせ式ソフトテンキー４００または語呂合わせ式ソフトテンキー３００におけるキーが押下されたときは、押下されたキーに応じた値が数値設定項目２６１に入力される。従って、ユーザーは好みに応じて語呂合わせ式ソフトテンキー３００または非語呂合わせ式ソフトテンキー４００を使用することができるから、操作がしやすくなり操作性及び利便性を改善することができる。
【００５６】
図５は、ソフトテンキーの表示切替処理を示すフローチャートである。なお、図５以降のフローチャートで示される処理は、ＭＦＰ１のパネルＣＰＵ２１０がＲＯＭ２２０等の記録媒体に格納された動作プログラムに従って動作することにより実行される。
【００５７】
ステップＳ０１で、数値入力画面Ｄ１におけるキーの押下を検出すると、ステップＳ０２で、押下されたキーはソフトテンキー表示切替キーである「数字のみ」キー２６６または「元の大きさ」キー２６７かを判断する。
【００５８】
ソフトテンキー表示切替キーであれば（ステップＳ０２でＹＥＳ）、ステップＳ０３で、現在表示されているソフトテンキーは語呂合わせ式ソフトテンキー３００か否かを判定する。語呂合わせ式ソフトテンキー３００であれば（ステップＳ０３でＹＥＳ）、ステップＳ０４で非語呂合わせ式ソフトテンキー４００を切替表示して処理を終了する。語呂合わせ式ソフトテンキー３００でなければ（ステップＳ０３でＮＯ）、ステップＳ０５で語呂合わせ式ソフトテンキー３００を切替表示して処理を終了する。
【００５９】
ステップＳ０２で、ソフトテンキー表示切替キーでない場合は（ステップＳ０２でＮＯ）、ステップＳ０６で押下されたキーに応じた処理を行う。
【００６０】
なお、図４では、語呂合わせ式ソフトテンキー３００から切り替えた非語呂合わせ式ソフトテンキー４００が、画面の左部領域に固定されて表示された場合を説明したが、図６に示すように、「数字のみ」キー２６６が押下されたときに、ポップアップ式の非語呂合わせ式ソフトテンキー５００を表示しても良い。このポップアップ式の非語呂合わせ式ソフトテンキー５００は、ポップアップ画面により表示され、表示位置が固定されることはなく、ユーザーはポップアップ表示された非語呂合わせ式ソフトテンキー５００の例えば上端部にタッチし所望の位置までスライド操作することにより、任意の位置に移動させることができる。なお、このポップアップ式の非語呂合わせ式ソフトテンキー５００の各キーの大きさも、非語呂合わせ式ソフトテンキー４００と同様に、語呂合わせ式ソフトテンキー３００の各キーの大きさよりも大きく設定されている。
【００６１】
また、ポップアップ式の非語呂合わせ式ソフトテンキー５００の下部領域には、「元」ー５０１と「閉」キー５０２が設けられている。「元」キー５０１は、非語呂合わせ式ソフトテンキー５００の表示から図３に示した語呂合わせ式ソフトテンキー３００の表示に切り替えて元に戻すための表示切替キーであり、ポップアップ式の非語呂合わせ式ソフトテンキー５００を表示後、再度語呂合わせ式ソフトテンキー３００に戻したいユーザーはこの「元」キー５０１を押下すれば良い。「閉」キー５０２は非語呂合わせ式ソフトテンキー５００の表示を閉じるためのものであり、「閉」キー５０２が押下されると非語呂合わせ式ソフトテンキー５００を含めソフトテンキーの表示は消失する。
【００６２】
またこの実施形態では、語呂合わせ式ソフトテンキー３００から切り替えてポップアップ式の非語呂合わせ式ソフトテンキー５００を表示する場合、その基準位置を語呂合わせ式ソフトテンキー３００の基準位置と一致させた状態で、切り替え表示されるようになっている。この実施形態では図６に示すように、ポップアップ式の非語呂合わせ式ソフトテンキー５００の数字１のキーの中心座標Ｐを基準位置とし、この座標Ｐが語呂合わせ式ソフトテンキー３００の基準位置である数字１のキーの中心座標に一致するように、ポップアップ式の非語呂合わせ式ソフトテンキー５００を表示する。
【００６３】
このような形態で表示することにより、ポップアップ式の非語呂合わせ式ソフトテンキー５００により画面の一部が隠れるのを極力防止でき、語呂合わせ式ソフトテンキー３００とほぼ同じ位置にポップアップ式の非語呂合わせ式ソフトテンキー５００を表示させることができ、ユーザーは非語呂合わせ式ソフトテンキー５００を違和感なく使用することができる。
【００６４】
なお、基準位置は数値１のキーに限定されることはなく、語呂合わせ式ソフトテンキー３００の表示位置に応じて適宜設定すれば良い。例えば語呂合わせ式ソフトテンキー３００が画面の右端部に表示されるときは、数字３の中心軸を基準位置に設定すれば良い。
【００６５】
図７は、図６で説明した実施形態におけるソフトテンキーの表示切替処理を示すフローチャートである。
【００６６】
ステップＳ１１で、数値入力画面Ｄ１におけるキーの押下を検出すると、ステップＳ１２で、押下されたキーはソフトテンキー表示切替キーである「数字のみ」キー２６６または「元」キー５０１かを判断する。
【００６７】
ソフトテンキー表示切替キーであれば（ステップＳ１２でＹＥＳ）、ステップＳ１３で、現在表示されているソフトテンキーは語呂合わせ式ソフトテンキー３００か否かを判定する。語呂合わせ式ソフトテンキー３００であれば（ステップＳ１３でＹＥＳ）、ステップＳ１４で、ポップアップ式の非語呂合わせ式ソフトテンキー５００を、その基準位置である特定キーの中心座標と、語呂合わせ式ソフトテンキー３００の基準位置である特定キーの中心座標とが一致する位置に表示して、処理を終了する。語呂合わせ式ソフトテンキー３００でなければ（ステップＳ１３でＮＯ）、ステップＳ１５で語呂合わせ式ソフトテンキー３００を表示して処理を終了する。
【００６８】
ステップＳ１２で、ソフトテンキー表示切替キーでない場合は（ステップＳ１２でＮＯ）、ステップＳ１６で、押下されたキーに応じた処理を行う。
【００６９】
図８は、この発明のさらに他の実施形態を示すもので、ソフトテンキーの表示切替キーである「数字のみ」キー２６６を押下したときの画面を示す図である。この実施形態では、語呂合わせ式ソフトテンキー３００に加えてポップアップ式の非語呂合わせ式ソフトテンキー５００をも同一の画面に併せて表示する構成となっている。
【００７０】
すなわち、図３に示した数値入力画面Ｄ１において「数字のみ」キー２６６が押下されると、図８に示すように、語呂合わせ式ソフトテンキー３００の表示はそのままで、ポップアップ式の非語呂合わせ式ソフトテンキー５００が移動操作可能に追加表示される。従って、語呂合わせ式ソフトテンキー３００とポップアップ式の非語呂合わせ式ソフトテンキー５００が同一画面内に表示されている。
【００７１】
ユーザーは語呂合わせ式ソフトテンキー３００及びポップアップ式の非語呂合わせ式ソフトテンキー５００のいずれをも使用することができ、各キーを押下すると押下されたキーに応じた値が数値設定項目２６１に入力される。つまり、ユーザーは好みに応じて語呂合わせ式ソフトテンキー３００またはポップアップ式の非語呂合わせ式ソフトテンキー５００を使用することができるから、操作性を改善することができる。また、非語呂合わせ式ソフトテンキー５００の表示後に語呂合わせ式ソフトテンキー３００を使用したくなった場合の、語呂合わせ式ソフトテンキー３００への表示切り替え操作は不要となる。
【００７２】
なお、ポップアップ式の非語呂合わせ式ソフトテンキー５００の下部領域には「閉じる」キー４０２が設けられている。この「閉じる」キー５０２は非語呂合わせ式ソフトテンキー５００の表示を閉じるためのものであり、「閉じる」キー５０２が押下されると非語呂合わせ式ソフトテンキー５００の表示は消失し、語呂合わせ式ソフトテンキー３００のみが表示された状態となる。
【００７３】
なお、以下の説明では、「数字のみ」キー、「元の大きさ」キー、「元」キーを表示切替キーとも記す。
【００７４】
図９は、図８で説明した実施形態におけるソフトテンキーの表示切替処理を示すフローチャートである。
【００７５】
ステップＳ２１で、数値入力画面Ｄ１におけるキーの押下を検出すると、ステップＳ２２で、押下されたキーはソフトテンキー表示切替キーである「数字のみ」キー２６６かを判断する。
【００７６】
ソフトテンキー表示切替キーであれば（ステップＳ２２でＹＥＳ）、ステップＳ２３で、現在表示されている語呂合わせ式ソフトテンキー３００に加えてポップアップ式の非語呂合わせ式ソフトテンキー５００を表示したのち、ステップＳ２４に進む。ステップＳ２２で、ソフトテンキー表示切替キーでない場合は（ステップＳ２２でＮＯ）、ステップＳ２８で、押下されたキーに応じた処理を行う。
【００７７】
ステップＳ２４でキーの押下を検出すると、ステップＳ２５で、押下されたのは語呂合わせ式ソフトテンキー３００のキーかどうかを判定する。語呂合わせ式ソフトテンキー３００のキーであれば（ステップＳ２５でＹＥＳ）、ステップＳ２７に進む。語呂合わせ式ソフトテンキー３００のキーでなければ（ステップＳ２５でＮＯ）、ステップＳ２６で、押下されたのはポップアップ式の非語呂合わせ式ソフトテンキー５００のキーかどうかを判定する。ポップアップ式の非語呂合わせ式ソフトテンキー５００のキーであれば（ステップＳ２６でＹＥＳ）、ステップＳ２７に進む。ポップアップ式の非語呂合わせ式ソフトテンキー５００のキーでなければ（ステップＳ２６でＮＯ）、ステップＳ２８に進む。
【００７８】
ステップＳ２７では、押下されたキーの入力処理を行う。つまり、数値設定項目２６１へキーに対応する数値を入力する。
【００７９】
図１０は、この発明のさらに他の実施形態を示すもので、ソフトテンキーの表示切替処理を示すフローチャートである。この実施形態では、数値入力画面の数値設定項目が特定の項目であるか否かに応じて、語呂合わせ式ソフトテンキー３００と、非語呂合わせ式ソフトテンキー４００（５００）の表示を切り替えるものである。
【００８０】
ステップＳ３１で、画面が新しい画面に切り替わったかどうかを判定し、切り替わった場合は（ステップＳ３１でＹＥＳ）、ステップＳ３２で、新しい画面は数値設定項目を有する数値入力画面であるかどうかを判定する。数値入力画面であれば（ステップＳ３２でＹＥＳ）、ステップＳ３３に進む。ステップＳ３１で新しい画面に切り替わっていない場合（ステップＳ３１でＮＯ）、及びステップＳ３２で数値入力画面でない場合は（ステップＳ３２でＮＯ）、いずれも本処理を終了する。
【００８１】
ステップＳ３３では数値設定項目が特定の数値設定項目であるかどうかを判定し、特定の数値設定項目であれば（ステップＳ３３でＹＥＳ）、ステップＳ３４で、語呂合わせ式ソフトテンキー３００を表示切替キーとともに表示する。特定の数値設定項目でなければ（ステップＳ３３でＮＯ）、ステップＳ３５で、非語呂合わせ式ソフトテンキー４００（５００）を表示切替キーとともに表示する。
【００８２】
このように、特定の数値設定項目であれば、語呂合わせ式ソフトテンキー３００が最初に表示される。
【００８３】
なお、特定の数値設定項目は予め管理者などによって設定されており、この設定を参照することにより、特定の数値設定項目かどうかを判定する。特定の数値設定項目としては、図１１（Ａ）に示すように例えばファクシミリ番号の設定項目や暗証番号の設定項目を挙げることができる。また、同図（Ｂ）のように、特定の数値設定項目を有する所定の画面で管理しても良い。つまり、新しい画面が例えばファクシミリ通信新規登録画面等のように予め設定された画面であれば、特定の数値設定項目を有する画面として判定しても良い。
【００８４】
なお、図１０の実施形態では、数値設定項目が特定の数値設定項目であれば、最初に語呂合わせ式ソフトテンキー３００を表示するものとしたが、図１２に示すように、ステップＳ３３で数値設定項目が特定の数値設定項目であれば（ステップＳ３３でＹＥＳ）、ステップＳ４４で、最初に非語呂合わせ式ソフトテンキー４００（５００）を表示するものとしても良い。特定の数値設定項目でなければ（ステップＳ３３でＮＯ）、ステップＳ４５で、語呂合わせ式ソフトテンキー３００が表示される。
【００８５】
最初に非語呂合わせ式ソフトテンキー４００（５００）を表示する場合の特定の数値設定項目として、例えば図１３（Ａ）に示すように、スリープ時間の設定項目や用紙サイズ（タテまたはヨコ）の設定項目、ＩＰアドレスの設定項目が設定されている。また、同図（Ｂ）のように、特定の数値設定項目を有する所定の画面で管理しても良い。つまり、新しい画面が例えばスリープ時間設定画面や用紙サイズ設定画面等のように予め設定された画面であれば、特定の数値設定項目を有する画面として判定しても良い。
【００８６】
図１４は、この発明のさらに他の実施形態を示すもので、ソフトテンキーの表示切替処理を示すフローチャートである。この実施形態では、数値入力画面の数値設定項目の数値入力桁数が所定数以上か否かに応じて、語呂合わせ式ソフトテンキー３００と、非語呂合わせ式ソフトテンキー４００（５００）の表示を切り替えるものである。
【００８７】
ステップＳ５１で、画面が新しい画面に切り替わったかどうかを判定し、切り替わった場合は（ステップＳ５１でＹＥＳ）、ステップＳ５２で、新しい画面は数値設定項目を有する数値入力画面であるかどうかを判定する。数値入力画面であれば（ステップＳ５２でＹＥＳ）、ステップＳ５３に進む。ステップＳ５１で新しい画面に切り替わっていない場合（ステップＳ５１でＮＯ）、及びステップＳ５２で数値入力画面でない場合は（ステップＳ５２でＮＯ）、いずれも本処理を終了する。
【００８８】
ステップＳ５３では数値設定項目の入力桁数が所定数以上かどうかを判定し、所定数以上であれば（ステップＳ５３でＹＥＳ）、ステップＳ５４で、語呂合わせ式ソフトテンキー３００を表示切替キーとともに表示する。所定数以上でなければ（ステップＳ５３でＮＯ）、ステップＳ５５で、非語呂合わせ式ソフトテンキー４００（５００）を表示切替キーとともに表示する。
【００８９】
このように、数値設定項目の入力桁数が所定数以上の場合に、語呂合わせ式ソフトテンキー３００が最初に表示される。
【００９０】
なお、数値設定項目の入力桁数は、図１５に示すように予め設定されており、この設定を参照することにより、数値設定項目の入力桁数が所定数以上かどうかを判定する。図１５の例では、スリープ時間の入力桁数は２桁、ファクシミリ番号は３２桁等となっている。基準となる所定数も、管理者等によって予め設定されている。
【００９１】
図１４の実施形態では、数値入力画面の数値設定項目の入力桁数が所定数以上か否かに応じて、語呂合わせ式ソフトテンキー３００と、非語呂合わせ式ソフトテンキー４００（５００）の表示を切り替えるものとしたが、図１６に示すように、数値設定項目の累積の使用回数が所定数以上の場合に、切り替えても良い。
【００９２】
すなわち、ステップＳ６３で、数値設定項目の使用回数が所定数以上かどうかを判断し、所定数以上であれば（ステップＳ６３でＹＥＳ）、ステップＳ６４で、語呂合わせ式ソフトテンキー３００を表示切替キーとともに表示する。所定数以上でなければ（ステップＳ６３でＮＯ）、ステップＳ６５で、非語呂合わせ式ソフトテンキー４００（５００）を表示切替キーとともに表示する。
【００９３】
このように、数値設定項目の使用回数が所定数以上の場合に、語呂合わせ式ソフトテンキー３００が最初に表示される。
【００９４】
なお、数値設定項目の使用回数は記憶部（図示せず）において図１７に示すように記憶されている。図１７の例では、スリープ時間の設定項目の使用回数が１回、ファクシミリ番号の設定項目の使用回数が１０回となっている。基準となる所定数は、管理者等によって予め設定されている。
【００９５】
また、図１８に示すように、特定のユーザーがログインしているかどうかを判定し、ログインしている場合に、語呂合わせ式ソフトテンキー３００と、非語呂合わせ式ソフトテンキー４００（５００）の表示を切り替えても良い。
【００９６】
すなわち、ステップＳ７３で、特定のユーザーが自装置にログインしているかどうかを判断し、ログインしていれば（ステップＳ７３でＹＥＳ）、ステップＳ７４で、語呂合わせ式ソフトテンキー３００を表示切替キーとともに表示する。ログインしていなければ（ステップＳ７３でＮＯ）、ステップＳ７５で、非語呂合わせ式ソフトテンキー４００（５００）を表示切替キーとともに表示する。
【００９７】
このように、特定のユーザーがログインしている場合に、語呂合わせ式ソフトテンキー３００が最初に表示される。
【００９８】
なお、特定のユーザーは図１９に示すように予め設定されている。図１９の例では、管理者、ユーザーＡ、ユーザーＣ等が特定のユーザーとして設定されている。
【００９９】
図２０は、この発明のさらに他の実施形態を示すもので、ソフトテンキー表示切替処理を示すフローチャートである。この実施形態では、図２１に示すように、数値入力画面毎に、数値入力のために使用されたソフトテンキーが語呂合わせ式ソフトテンキー３００か非語呂合わせ式ソフトテンキー４００（５００）かを示す使用情報（種別）を記憶部に上書きして記憶しておく。図２１の例では、ファクシミリ番号設定画面では最後に語呂合わせ式ソフトテンキー３００が使用され、用紙サイズ設定画面では非語呂合わせ式ソフトテンキー４００（５００）が最後に使用されている。なお、非語呂合わせ式ソフトテンキーの場合も、固定式の非語呂合わせ式ソフトテンキー４００かポップアップ式の非語呂合わせ式ソフトテンキー５００かの別を記憶しても良い。
【０１００】
この記憶されていた最新の使用情報に基づいて、次にその画面が表示されたときに、語呂合わせ式ソフトテンキー３００と、非語呂合わせ式ソフトテンキー４００（５００）の表示を切り替えるようになっている。ユーザーが数値入力画面で最後に使用したソフトテンキーは、次にその数値入力画面で数値入力を行う場合も、そのソフトテンキーを使用する可能性が高いと考えられるため、最新の使用情報に基づいてソフトテンキーを切り替えることで、ユーザーの利便性をさらに高めることができる。
【０１０１】
ステップＳ８１で、数値入力画面Ｄ１におけるキーの押下を検出すると、ステップＳ８２で、押下されたキーはソフトテンキー表示切替キーである「数字のみ」キー２６６または「元の大きさ」キー２６７かを判断する。
【０１０２】
ソフトテンキー表示切替キーであれば（ステップＳ８２でＹＥＳ）、ステップＳ８３で、切り替え後のソフトテンキーの種別を記憶したのち、ステップＳ８４で、ソフトテンキーを切り替えて表示する。
【０１０３】
ステップＳ８２で、ソフトテンキー表示切替キーでなければ（ステップＳ８２でＮＯ）、ステップＳ８５で、画面が新しい画面に切り替わったかどうかを判定し、切り替わった場合は（ステップＳ８５でＹＥＳ）、ステップＳ８６で、新しい画面は数値設定項目を有する数値入力画面であるかどうかを判定する。数値入力画面であれば（ステップＳ８６でＹＥＳ）、ステップＳ８７に進む。ステップＳ８５で新しい画面に切り替わっていない場合（ステップＳ８５でＮＯ）、及びステップＳ８６で数値入力画面でない場合は（ステップＳ８６でＮＯ）、いずれも本処理を終了する。
【０１０４】
ステップＳ８７では、新しい画面について、最後に実行（使用）されたソフトテンキーの種別が記憶されているかどうかを調べ、記憶されていれば（ステップＳ８７でＹＥＳ）、ステップＳ８８で、記憶されている種別のソフトテンキーを表示する。記憶されていなければ（ステップＳ８７でＮＯ）、ステップＳ８９で、デフォルトで設定されているソフトテンキーを表示する。
【０１０５】
図２２はこの発明のさらに他の実施形態を示すもので、表示切替キー２６６（２６７、５０１）の表示処理を示すフローチャートである。この実施形態では、自装置に特定のユーザーがログインしているときに、ソフトテンキーとともに、ソフトテンキーの表示を切り替えるための表示切替キー２６６（２６７）を表示する構成となっている。これにより、該当ユーザーは好みに応じて語呂合わせ式ソフトテンキー３００または非語呂合わせ式ソフトテンキー４００（５００）を使用することができる。
【０１０６】
ステップＳ９１で、数値入力画面に切り替わったかどうかを判定し、切り替わった場合は（ステップＳ９１でＹＥＳ）、ステップＳ９２で、新しい画面は数値設定項目を有する数値入力画面かどうかを判断する。数値入力画面であれば（ステップＳ９２でＹＥＳ）、ステップＳ９３に進む。ステップＳ９１で新しい画面に切り替わっていない場合（ステップＳ９１でＮＯ）、及びステップＳ９２で数値入力画面でない場合は（ステップＳ９２でＮＯ）、いずれも本処理を終了する。
【０１０７】
ステップＳ９３では特定のユーザーがログインしているかどうかを判断し、特定のユーザーがログインしていれば（ステップＳ９３でＹＥＳ）、ステップＳ５４で、ソフトテンキー３００または４００（５００）とともに表示切替キー２６６（２６７、５０１）を表示する。特定のユーザーがログインしていなければ（ステップＳ９３でＮＯ）、ステップＳ９５で、ソフトテンキー３００または４００（５００）のみを表示し、表示切替キー２６６（２６７、５０１）は表示しない。
【０１０８】
なお、特定のユーザーは例えば図１９に示したように予め設定されている。
【０１０９】
図２３はこの発明のさらに他の実施形態を示すもので、表示切替キー２６６（２６７、５０１）の表示処理を示すフローチャートである。この実施形態では、数値入力画面の数値設定項目の数が所定数よりも多い場合に、ソフトテンキーとともに、ソフトテンキーの表示を切り替えるための表示切替キー２６６（２６７）を表示する構成となっている。
【０１１０】
ステップＳ１０１で、数値入力画面に切り替わったかどうかを判定し、切り替わった場合は（ステップＳ１０１でＹＥＳ）、ステップＳ１０２で、新しい画面は数値設定項目を有する数値入力画面かどうかを判断する。数値入力画面であれば（ステップＳ１０２でＹＥＳ）、ステップＳ１０３に進む。ステップＳ１０１で新しい画面に切り替わっていない場合（ステップＳ１０１でＮＯ）、及びステップＳ１０２で数値入力画面でない場合は（ステップＳ１０２でＮＯ）、いずれも本処理を終了する。
【０１１１】
ステップＳ１０３では画面の数値設定項目が所定数以上かどうかを判断し、所定数以上であれば（ステップＳ１０３でＹＥＳ）、ステップＳ１０４で、ソフトテンキー３００または４００（５００）とともに表示切替キー２６６（２６７、５０１）を表示する。所定数以上でなければ（ステップＳ１０３でＮＯ）、ステップＳ１０５で、ソフトテンキー３００または４００（５００）のみを表示し、表示切替キー２６６（２６７、５０１）は表示しない。
【０１１２】
なお、数値設定項目の数は図２４に示すように、各画面毎に予め設定され管理されている。図２４では、ファクシミリ番号設定画面では数値設定項目数が２、用紙サイズ設定画面では数値設定項目数が２となっている。所定数についても予め設定されている。
【０１１３】
図２５は、この発明のさらに他の実施形態を示すものであり、ソフトテンキーの表示切替処理を示すフローチャートである。この実施形態では、数値入力画面において選択された数値設定項目に応じて、語呂合わせ式ソフトテンキー３００と、非語呂合わせ式ソフトテンキー４００（５００）の表示を切り替えるものである。
【０１１４】
ステップＳ１１１で、数値設定項目が選択されたことを検出すると、ステップＳ１１２で、選択された数値設定項目は語呂合わせ式ソフトテンキー３００の表示が優先される設定となっているかどうかを判断する。語呂合わせ式ソフトテンキー３００の表示が優先される設定であれば（ステップＳ１１２３でＹＥＳ）、ステップＳ１１３で、語呂合わせ式ソフトテンキー３００を表示切替キーとともに表示する。語呂合わせ式ソフトテンキー３００の表示が優先される設定でなければ（ステップＳ１１２でＮＯ）、ステップＳ１１４で、非語呂合わせ式ソフトテンキー４００（５００）を表示切替キーとともに表示する。
【０１１５】
なお、語呂合わせ式ソフトテンキー３００の表示が優先される設定か、非語呂合わせ式ソフトテンキー４００（５００）表示が優先される設定かは、図２６のように予め決定されている。例えば図２６では、スリープ時間の設定項目については非語呂合わせ式ソフトテンキー４００（５００）の表示を優先し、ファクシミリ番号の設定項目では語呂合わせ式ソフトテンキー３００の表示を優先する設定となっている。
【符号の説明】
【０１１６】
１      画像処理装置
２      操作パネル部
２１０  パネルＣＰＵ
２２０  ＲＯＭ
２３０  ＲＡＭ
２４０  ＬＣＤ制御部
２６０  表示部
２６１  数値設定項目
２６６  表示切替キー
２６７  表示切替キー
３００  第１のソフトテンキー（語呂合わせ式ソフトテンキー）
４００  第２のソフトテンキー（非語呂合わせ式ソフトテンキー）
５００  第２のソフトテンキー（非語呂合わせ式ソフトテンキー）
５０１  表示切替キー
【図１】
2016143115.tif 000003
【図２】
2016143115.tif 000004
【図３】
2016143115.tif 000005
【図４】
2016143115.tif 000006
【図５】
2016143115.tif 000007
【図６】
2016143115.tif 000008
【図７】
2016143115.tif 000009
【図８】
2016143115.tif 000010
【図９】
2016143115.tif 000011
【図１０】
2016143115.tif 000012
【図１１】
2016143115.tif 000013
【図１２】
2016143115.tif 000014
【図１３】
2016143115.tif 000015
【図１４】
2016143115.tif 000016
【図１５】
2016143115.tif 000017
【図１６】
2016143115.tif 000018
【図１７】
2016143115.tif 000019
【図１８】
2016143115.tif 000020
【図１９】
2016143115.tif 000021
【図２０】
2016143115.tif 000022
【図２１】
2016143115.tif 000023
【図２２】
2016143115.tif 000024
【図２３】
2016143115.tif 000025
【図２４】
2016143115.tif 000026
【図２５】
2016143115.tif 000027
【図２６】
2016143115.tif 000028